(57)【要約】【課題】アナログで受信できるチャンネルを事前に記録しておき、デジタルのチャンネルサーチを行う際に記録したチャンネルをスキップすることにより無駄な周波数の同調までも省き、より速くチャンネルサーチを行うようにする。【解決手段】制御部１４は、チャンネルサーチをする最初の周波数を設定し、チャンネルサーチを開始する。制御部１４は、デジタルチューナー部１２にチューニング動作を行わせる前に、アナログチューナー部１５が地上波アナログ放送で受信できるかどうかの判定を行い、受信できると判定された場合にはすでに地上波アナログ放送で受信できるため地上波デジタル放送のスキャンは必要ないということで処理をスキップする。【選択図】      図１
2004312384.tif 000002
【特許請求の範囲】
【請求項１】
アナログ放送とデジタル放送の両方を受信できるアナログ・デジタル放送受信装置において、
アナログ放送が受信できているチャンネルを取得するアナログチャンネル取得手段と、
デジタル放送が受信できているチャンネルを取得するデジタルチャンネル取得手段と、
デジタル放送のチャンネルサーチをする際にアナログ放送で受信できているチャンネルの周波数スキャンを飛ばす制御手段とを具備することを特徴とするアナログ・デジタル放送受信装置。
【請求項２】
請求項１記載のアナログ・デジタル放送受信装置において、
アナログ放送のチャンネルサーチにて受信可能なチャンネルをアナログ放送が放送されているチャンネルとして設定記録するアナログチャンネル管理手段を具備し、
前記制御手段は、前記アナログチャンネル管理手段からアナログ放送で受信できているチャンネルのデータを取得することを特徴とするアナログ・デジタル放送受信装置。
【請求項３】
請求項２記載のアナログ・デジタル放送受信装置において、
前記アナログチャンネル管理手段は、アナログ放送でチャンネルを選局し受信できた時の日時を記録しており、
前記制御手段は、記録した日時からアナログ放送のチャンネルを受信できたどうかを判定することを特徴とするアナログ・デジタル放送受信装置。
【請求項４】
請求項２記載のアナログ・デジタル放送受信装置において、
前記アナログチャンネル管理手段は、アナログ放送のチャンネルを選局し受信できなかった時の日時の履歴を記録しており、
前記制御手段は、受信できなかった日時の履歴から、アナログ放送でそのチャンネルを受信できなくなったどうかを判定し、その判定を元に地上波アナログ放送で放送されているチャンネル特定することを特徴とするアナログ・デジタル放送受信装置。
【請求項５】
請求項１、２、３又は４記載のアナログ・デジタル放送受信装置において、
前記制御手段は、地上波アナログ放送で受信できている以外のチャンネルを対象に地上波デジタル放送のチャンネルサーチをする際に、同時に地上波アナログ放送で受信できているチャンネルだけを地上波アナログ放送のチャンネルサーチを行い、地上波アナログ放送が受信できないチャンネルが見つかれば、そのチャンネルを追加で地上波デジタル放送のチャンネルサーチをすることを特徴とするアナログ・デジタル放送受信装置。
【請求項６】
請求項１、２、３、４又は５記載のアナログ・デジタル放送受信装置において、
前記制御手段は、地上波デジタル放送で受信できている地上波アナログ放送に相当するチャンネルチャンネルの周波数を取得し、地上波アナログ放送のチャンネルサーチをする際に、地上波デジタル放送で受信できているチャンネルを飛ばすことを特徴とするアナログ・デジタル放送受信装置。
【発明の詳細な説明】
【０００１】
【発明の属する技術分野】
本発明は、地上波アナログ放送と地上波デジタル放送の両方を受信できるアナログ・デジタル放送受信装置に関するものである。
【０００２】
【従来の技術】
関東・近畿・中京の３大広域圏では２００３年末までに地上波デジタル放送が始まる予定で、その他の地域も２００６年末までに開始される予定である。２０１１年くらいまではアナログ放送も継続される予定であり、過渡期はアナログ放送とデジタル放送が混在することになる予定である。
【０００３】
またある地域で受信できるチャンネルを探すのは、チャンネルサーチと呼ばれる自動的に周波数ごとにチューナーに選局が出来るかどうかの判定を行う機能が有用である。
【０００４】
チャンネルサーチの基本的な仕組みはアナログもデジタルも同じだが、デジタルでチャンネルを探す場合はチューナーの選局後にＮｅｔｗｏｒｋ  Ｉｎｆｏｒｍａｔｉｏｎ  Ｔａｂｌｅ（ネットワーク情報テーブル  以下ＮＩＴと略す）、Ｓｅｒｖｉｃｅ  Ｉｎｆｏｒｍａｔｉｏｎ（番組情報  以下ＳＩと略す）−Ｅｌｅｃｔｒｏｎｉｃ  Ｐｒｏｇｒａｍ  Ｇｕｉｄｅ（ＥＰＧ  電子番組ガイド）とデジタルデータを受信し、チャンネルデータを取得する必要があるためアナログよりも少し時間がかかる。これが数十のチャンネルになると結構な時間となり、地上波デジタル受信機での課題の１つになっている。
【０００５】
この解決例の１つとして特許文献１の技術がある。これは周波数（チャンネル）サーチを行い、各周波数がアナログ用かデジタル用か放送されていないかを判定する事により高速にサーチするものである。これはアナログとデジタルが同一周波数に混在することはないためで、仮に混在している場合は混信し両方受信できなくなると考えられるためである。このようにサーチをする際に周波数同調後にチューナーでアナログ用かデジタル用かを判定し、デジタルの判定を省く考えは存在する。
【０００６】
【特許文献１】
特開２００１−２３０６８９号公報
【０００７】
【発明が解決しようとする課題】
しかしながら、すでにアナログのチャンネルが受信できている場合、周波数の同調は無駄である。受信できるアナログのチャンネルが事前に分かっているときは、デジタルのチャンネルサーチを行う際にアナログのチャンネルの周波数までもサーチしてしまうのは時間の無駄である。
【０００８】
本発明の目的は、アナログで受信できるチャンネルを事前に記録しておき、デジタルのチャンネルサーチを行う際に記録したチャンネルをスキップすることにより無駄な周波数の同調までも省き、より速くチャンネルサーチを行うアナログ・デジタル放送受信装置を提供することである。
【０００９】
【課題を解決するための手段】
上記課題を解決するために、本発明は、アナログ放送とデジタル放送の両方を受信できるアナログ・デジタル放送受信装置において、アナログ放送が受信できているチャンネルを取得するアナログチャンネル取得手段と、デジタル放送が受信できているチャンネルを取得するデジタルチャンネル取得手段と、デジタル放送のチャンネルサーチをする際にアナログ放送で受信できているチャンネルの周波数スキャンを飛ばす制御手段とを具備することを特徴とする。
【００１０】
また、本発明は、アナログ放送のチャンネルサーチにて受信可能なチャンネルをアナログ放送が放送されているチャンネルとして設定記録するアナログチャンネル管理手段を具備し、前記制御手段は、前記アナログチャンネル管理手段からアナログ放送で受信できているチャンネルのデータを取得することを特徴とする。
【００１１】
また、本発明は、前記アナログチャンネル管理手段が、アナログ放送でチャンネルを選局し受信できた時の日時を記録しており、前記制御手段は、記録した日時からアナログ放送のチャンネルを受信できたどうかを判定することを特徴とする。
【００１２】
また、本発明は、前記アナログチャンネル管理手段が、アナログ放送のチャンネルを選局し受信できなかった時の日時の履歴を記録しており、前記制御手段は、受信できなかった日時の履歴から、アナログ放送でそのチャンネルを受信できなくなったどうかを判定し、その判定を元に地上波アナログ放送で放送されているチャンネル特定することを特徴とする。
【００１３】
また、本発明は、前記制御手段が、地上波アナログ放送で受信できている以外のチャンネルを対象に地上波デジタル放送のチャンネルサーチをする際に、同時に地上波アナログ放送で受信できているチャンネルだけを地上波アナログ放送のチャンネルサーチを行い、地上波アナログ放送が受信できないチャンネルが見つかれば、そのチャンネルを追加で地上波デジタル放送のチャンネルサーチをすることを特徴とする。
【００１４】
また、本発明は、前記制御手段が、地上波デジタル放送で受信できている地上波アナログ放送に相当するチャンネルチャンネルの周波数を取得し、地上波アナログ放送のチャンネルサーチをする際に、地上波デジタル放送で受信できているチャンネルを飛ばすことを特徴とする。
【００１５】
【発明の実施の形態】
以下、本発明によるアナログ・デジタル放送受信装置の実施形態について、図面に基づいて説明する。
【００１６】
図１は、本発明によるアナログ・デジタル放送受信装置の一実施形態を示すブロック図である。
このアナログ・デジタル放送受信装置は、地上波アナログ放送及び地上波デジタル放送の電波を受信するアンテナ部１１、受信した電波の検波を行う地上波デジタル放送用のチューナ部１２、電波から抽出された映像データと音声データが復号された後に出力されるディスプレイやスピーカ等からなる映像・音声出力部１３、受信装置全体の動作を制御する制御部１４、受信した電波の検波を行なう地上波アナログ放送用のチューナ部１５、地上波アナログ放送のチャンネルを管理するアナログチャンネル管理部１６、地上波デジタル放送のチャンネルを管理するデジタルチャンネル管理部１７から構成されている。
【００１７】
以下に、このように構成された実施の形態による地上波アナログ・デジタル放送受信装置のチャンネルサーチの動作について説明する。
【００１８】
図２は、従来のデジタル放送のチャンネルサーチ処理の流れを示すフローチャートである。
ステップＳ１０１にて、チャンネルサーチをする最初の周波数を設定し、チャンネルサーチを開始する。ステップＳ１０２にてデジタルチューナー部１２に対してＴｕｎｉｎｇ命令を実行し、ステップＳ１０３にてチューナーステータスのチェックを行う。ステップＳ１０４にて選局できなかった場合、その後の処理を行わずにステップＳ１０７へ移動する。それ以降の処理はデジタル特有の処理で、ステップＳ１０５にてチューナーから出ているＴｒａｎｓｐｏｒｔ  Ｓｔｒｅａｍ  （ＭＰＥＧシステム規格にて規定されるトランスポートストリーム  以下ＴＳと略す）データからＮＩＴやＳＩを受信し、ステップＳ１０６にて前記のデータからチャンネル対応表を作成する。ステップＳ１０７で次の周波数がある場合は次の周波数を設定し、ステップＳ１０２へ戻り、そうでない場合は処理を終える。
【００１９】
図３にて本発明による地上波デジタル放送のチャンネルサーチ処理の流れを説明する。
ステップＳ２０１にて、制御部１４は、チャンネルサーチをする最初の周波数を設定し、チャンネルサーチを開始する。次にステップＳ２０２にて、制御部１４は、デジタルチューナー部１２にチューニング動作を行わせる前に、アナログチューナー部１５が地上波アナログ放送で受信できるかどうかの判定を行い、受信できないと判定された場合には地上波デジタル放送のスキャンが必要だということでステップＳ２０３へ移行し、受信できると判定された場合にはすでに地上波アナログ放送で受信できるため地上波デジタル放送のスキャンは必要ないということでＳ２０３からＳ２０７の間の処理をスキップする。
【００２０】
地上波デジタル放送のスキャンが必要な場合、後は図５にて説明したものと同じように、制御部１４は、ステップＳ２０３にてデジタルチューナー部１２に対してＴｕｎｉｎｇ命令を実行し、ステップＳ２０４にてチューナーステータスのチェックを行う。ステップＳ２０５にて選局できなかった場合、その後の処理を行わずに、ステップＳ２０８へ移動する。選局できた場合、ステップＳ２０６にてデジタルチューナー部１２から出ているＴＳデータからＮＩＴやＳＩを受信する。ステップＳ２０７にて前記のデータからチャンネル対応表を作成する。ステップＳ２０８で次の周波数がある場合は次の周波数を設定し、ステップＳ２０２へ戻り、そうでない場合は処理を終える。
【００２１】
従来の例と比べて分かるようにアナログ放送で受信できているチャンネルの場合、Ｓ２０３からＳ２０７の処理が不要であり、そのチャンネル分チャンネルサーチの処理を短縮できることになる。
【００２２】
次に地上波アナログ放送で受信できているどうかの判定方法について説明する。
【００２３】
例としては、図４のように地上波アナログ放送でチャンネルサーチを行った結果として選局できたチャンネルのテーブル２１をアナログチャンネル管理部１６に記録する。そして、地上波デジタル放送のチャンネルサーチを行う際に、制御部１４は、スキャンを行う周波数にあたる地上波アナログ放送のチャンネルを記録したテーブル２１から検索し、テーブル２１に該当チャンネルがある場合には地上波アナログ放送で受信できていると、該当チャンネルがない場合は地上波アナログ放送で受信できてないと判定する。
【００２４】
また図５のように、制御部１４は、地上波アナログ放送の選局を成功した場合に日時をアナログチャンネル管理部１６に記録し、最近選局が成功したものだけが受信できているものだという考えの元に、１週間以内に選局が成功したチャンネルを地上波アナログ放送で受信できているチャンネルとしてもよい。この場合、２００３年１２月２５日に地上波デジタル放送のチャンネルスキャンをしたとすると３８チャンネルは８日、４２チャンネルは１ヵ月以上受信できてないので、そのチャンネルは受信できないものとして扱われ、１、３、４、６、８、１０、１２、１４、１６、４６のチャンネルが受信できているものとして扱われる。こうして、受信チャンネルのテーブル２２とアナログチャンネル管理部１６に記録する。
【００２５】
また、制御部１４は、図６のように受信できなかった日時の履歴をアナログチャンネル管理部１６にテーブル２３として記録し、最近選局を失敗したものは受信できないものだという考えの元に、例えば、通常放送されていると思われる時間帯（７：００〜２４：００）の時間帯で選局を失敗した回数、日数で多いもの（３回以上）を受信できないものだと考えてもよい。この場合、３８、４２のチャンネルは共に３回以上選局に失敗しているので、制御部１４は、そのチャンネルは受信できないものとして扱い、１、３、４、６、８、１０、１２、１４、１６、４６のチャンネルが受信できるものとして扱う。
【００２６】
次に、図７にて、本発明による地上波デジタル放送のチャンネルサーチ処理中に地上波アナログ放送で受信できているはずのチャンネルを地上波アナログ放送のチャンネルスキャンを行い、追加のある部分のみを追加でサーチする処理の流れを説明する。まず図３のように地上波アナログ放送で受信できているチャンネル以外を地上波デジタル放送でチャンネルサーチし、それと同時に、現在でも地上波アナログ放送で受信できているどうかをチェックするために地上波アナログ放送で受信できていたチャンネルを再度地上波アナログ放送でチャンネルサーチし、追加でスキャンが必要なチャンネルを探す。地上波デジタル放送のチャンネルサーチが終わった後にまた図６とほぼ同じような処理を行う。
【００２７】
ステップＳ３０１にて、制御部１４は、チャンネルサーチをする最初の周波数を設定し、チャンネルサーチを開始する。次にステップＳ３０２にてチューニング動作に移るのではなく、追加でスキャンが必要かどうかの判定を行い、必要だと判定した場合にはステップＳ３０３へ移行し、不要と判定した場合にはＳ３０３からＳ３０７の処理をスキップする。後はステップＳ３０３にてデジタルチューナー部１２に対してＴｕｎｉｎｇ命令を実行し、ステップＳ３０４にてチューナーステータスのチェックを行う。ステップＳ３０５にて選局できなかった場合その後の処理を行わずにステップＳ３０８へ移動する。ステップＳ３０６にて、制御部１４は、デジタルチューナー部１２から出力したＴＳデータからＮＩＴやＳＩを受信する。ステップＳ３０７にて前記のデータからチャンネル対応表を作成する。ステップＳ３０８で次の周波数がある場合は次の周波数を設定し、ステップＳ３０２へ戻り、そうでない場合は処理を終える。これでより地上波デジタル放送のチャンネルスキャンのし忘れがなくなるはずである。
【００２８】
最後に図８にて地上波デジタル放送のチャンネルサーチの結果を元に地上波アナログ放送のチャンネルサーチを速くする方法について説明する。
ステップＳ４０１にて、制御部１４は、チャンネルサーチをする最初の周波数を設定し、チャンネルサーチを開始する。次にステップＳ４０２にてチューニング動作に移る前に、デジタルチューナー部１２により地上波デジタル放送で受信できるどうかの判定を行う。受信できないと判定された場合には、地上波アナログ放送のスキャンが必要だということでステップＳ４０３へ移行する。受信できると判定された場合には、すでに地上波デジタル放送で受信できているので、地上波アナログ放送のスキャンは必要なく、Ｓ４０３からＳ４０７の処理をスキップする。地上波アナログ放送のスキャンが必要な場合、ステップＳ４０３にて地上波アナログ放送チューナー部１５に対してＴｕｎｉｎｇ命令を実行し、ステップＳ４０４にてアナログのチューナーステータスのチェックを行う。ステップＳ４０５にて制御部１４は、選局できなかった場合その後の処理を行わずにステップＳ４０７へ移動する。選局が出来た場合ステップＳ４０６にてアナログチャンネル管理部１６のチャンネル管理テーブルを更新する。ステップＳ４０７で次の周波数がある場合は次の周波数を設定し、ステップＳ４０２へ戻り、そうでない場合は処理を終える。
【００２９】
地上波デジタル放送の場合と同様に地上波デジタル放送で受信できているチャンネルの場合Ｓ４０３からＳ４０６の処理が不要であり、そのチャンネル分チャンネルサーチの処理を短縮できることになる。
【００３０】
【発明の効果】
本発明によれば、地上波アナログ・デジタル放送受信装置で地上波アナログ放送を受信できるもので、地上波デジタル放送及びアナログ放送のチャンネルサーチを高速に行うことが出来ることで、ユーザーの無駄な待ち時間をより少なくする。
【図面の簡単な説明】
【図１】本発明によるアナログ・デジタル放送受信装置の一実施形態例を示す機能ブロック図である。
【図２】従来の地上波デジタル放送チャンネルサーチ処理の流れを示す図である。
【図３】上記実施の形態における地上波デジタル放送のチャンネルサーチ処理の流れを示す図である。
【図４】上記実施の形態における地上波アナログ放送で受信できているチャンネルのデータベース格納例を示す図である。
【図５】上記実施の形態における日時を含む地上波アナログ放送で受信できているチャンネルのデータベース格納例を示す図である。
【図６】上記実施の形態における受信できなかった日時の履歴を含む地上波アナログ放送で受信できているチャンネルのデータベース格納例を示す図である。
【図７】上記実施の形態における追加で行う地上波デジタル放送のチャンネルサーチ処理の流れを示す図である。
【図８】上記実施の形態に地上波アナログ放送のチャンネルサーチ処理の流れを示す図である。
【符号の説明】
１１  アンテナ部
１２  地上波デジタル用チューナー部
１３  映像・音声出力部
１４  制御部
１５  地上波アナログ用チューナー部
１６  アナログチャンネル管理部
１７  デジタルチャンネル管理部
【図１】
2004312384.tif 000003
【図２】
2004312384.tif 000004
【図３】
2004312384.tif 000005
【図４】
2004312384.tif 000006
【図５】
2004312384.tif 000007
【図６】
2004312384.tif 000008
【図７】
2004312384.tif 000009
【図８】
2004312384.tif 000010